(57)【要約】【課題】所定のコードにより遮蔽材の移送を行う遮蔽装置にて、当該所定のコードの巻掛け及び取り外しに係る手間を軽減したコード巻掛装置を提供する。【解決手段】本発明のコード巻掛装置８は、ヘッドボックス１からチルト操作棒１５を経て導出される昇降コード１０を巻掛け可能とするスライドフック８１について、チルト操作棒１５に沿ってスライド可能とし、尚且つこのスライドフック８１をチルト操作棒１５に沿って可動させる可動機構とチルト操作棒１５に沿って可動させるよう操作する操作機構のいずれか一方又は双方を備える。【選択図】図２
2018071199.tif 000002
【特許請求の範囲】
【請求項１】
所定のコードにより遮蔽材の移送を行う遮蔽装置におけるコード巻掛装置であって、
遮蔽材を移送するために遮蔽装置の外部に導出される当該所定のコードを巻掛け可能なコード巻掛部を有し、所定の棒体に沿ってスライド可能としたスライドフックを備えるとともに、前記スライドフックを前記所定の棒体に沿って可動させる可動機構と前記所定の棒体に沿って可動させるよう操作する操作機構のいずれか一方又は双方を備えることを特徴とするコード巻掛装置。
【請求項２】
前記スライドフックとは異なる第２のフックが前記所定の棒体に設けられ、
前記第２のフックは、当該所定のコードを巻掛け可能なコード巻掛部を有し、前記所定の棒体に固定した固定フックからなり、
前記可動機構、或いは前記操作機構は、前記スライドフックと前記第２のフックとの間の距離を前記所定の棒体に沿って可変させるように構成されていることを特徴とする、請求項１に記載のコード巻掛装置。
【請求項３】
前記スライドフックとは異なる第２のフックが前記所定の棒体に設けられ、
前記第２のフックは、当該所定のコードを巻掛け可能なコード巻掛部を有し、前記所定の棒体に沿ってスライド可能とした第２のスライドフックからなり、
前記可動機構、或いは前記操作機構は、前記スライドフックと前記第２のスライドフックとの間の距離を同期して互いに離間又は接近させるよう構成されていることを特徴とする、請求項１に記載のコード巻掛装置。
【請求項４】
前記可動機構は、前記第２のスライドフックのスライド操作で、前記スライドフックを同期してスライドさせるように構成されていることを特徴とする、請求項３に記載のコード巻掛装置。
【請求項５】
前記第２のスライドフックは、前記所定の棒体に対し直接又は間接的にロック可能に構成されていることを特徴とする、請求項３又は４に記載のコード巻掛装置。
【請求項６】
前記第２のスライドフックは、前記所定の棒体に対し相対回転させる操作でロック可能に構成されていることを特徴とする、請求項５に記載のコード巻掛装置。
【請求項７】
前記スライドフックと前記第２のフックのいずれか一方又は双方におけるコード巻掛部に、当該所定のコードを巻掛け可能な滑車が設けられていることを特徴とする、請求項２から６のいずれか一項に記載のコード巻掛装置。
【請求項８】
前記スライドフックと前記第２のフックのいずれか一方又は双方におけるコード巻掛部が、当該所定のコードを着脱可能に掴持させるクリップ構造を有することを特徴とする、請求項２から７のいずれか一項に記載のコード巻掛装置。
【請求項９】
前記可動機構は、
前記スライドフックに一端を取着する第１の移送コードと、
前記第２のスライドフックに一端を取着する第２の移送コードと、
前記所定の棒体の上方に設置され、前記第１の移送コードを掛装する滑車を有し、前記第１の移送コードの他端を前記第２のスライドフックに取着させるよう案内する第１の駆動支持部材と、
前記所定の棒体の下方に設置され、前記第２の移送コードを掛装する滑車を有し、前記第２の移送コードの他端を前記スライドフックに取着させるよう案内する第２の駆動支持部材と、
を備えるよう構成されていることを特徴とする、請求項３、又は請求項３を引用する請求項４から８のいずれか一項に記載のコード巻掛装置。
【請求項１０】
前記可動機構は、
前記スライドフックを取着する第１の歯車ラックと、
前記第２のスライドフックを取着する第２の歯車ラックと、
前記所定の棒体の所定位置にて回転可能に軸支され、互いに対向するよう配置させた前記第１の歯車ラックと前記第２の歯車ラックの各歯部と噛合する歯車と、
を備えるよう構成されていることを特徴とする、請求項３、又は請求項３を引用する請求項４から８のいずれか一項に記載のコード巻掛装置。
【請求項１１】
前記可動機構は、前記第２のフックから前記スライドフックを離間させるための所定の付勢力を生じさせる圧縮バネを備えるよう構成され、
前記スライドフックと前記第２のフックが接近するようロックする機構を有することを特徴とする、請求項１又は２に記載のコード巻掛装置。
【請求項１２】
前記操作機構は、操作用錘部材に一端を取着した所定の操作コードの他端を、前記所定の棒体に設けられる滑車を介して前記スライドフックに取着して構成され、
前記操作用錘部材の操作により、前記スライドフックをスライド可能としたことを特徴とする、請求項１又は２に記載のコード巻掛装置。
【請求項１３】
前記可動機構、或いは前記操作機構は、前記所定の棒体における上方及び下方にそれぞれ設けられた滑車に掛装される無端状の操作コード、無端状のボールチェーン、又は無端状のベルトから構成され、
当該無端状の操作コード、無端状のボールチェーン、又は無端状のベルトに、前記スライドフックが取着されていることを特徴とする、請求項１から８のいずれか一項に記載のコード巻掛装置。
【請求項１４】
前記操作機構は、前記スライドフックを軸支するスパイラルシャフトを備えるよう構成され、
前記スパイラルシャフトの回転操作で、前記スライドフックを前記スパイラルシャフトの軸方向にスライド可能としたことを特徴とする、請求項１から３のいずれか一項に記載のコード巻掛装置。
【発明の詳細な説明】
【技術分野】
【０００１】
本発明は、所定のコードにより遮蔽材の移送を行う遮蔽装置におけるコード巻掛装置に関する。
【背景技術】
【０００２】
所定のコードにより遮蔽材の移送を行う遮蔽装置として、典型的には横型ブラインドがある。
【０００３】
横型ブラインドは、ヘッドボックスから吊り下げられるラダーコードに支持された多数段のスラットを昇降させたり、チルトさせたりすることによって、室内に取り込む日射量の調整が可能となっている。
【０００４】
例えば、ラダーコードの下端にボトムレールが配置され、ボトムレールに取着された昇降コードをヘッドボックス内への引き込み、或いはヘッドボックスからの引き出しを行って、ボトムレールを昇降させることによりスラットを昇降させることができる。
【０００５】
そして、横型ブラインドの一種として、ヘッドボックス内に設けられる操作部から多数段のスラットの角度調節のためにチルト操作棒を吊下し、このチルト操作棒内にヘッドボックスから導出される昇降コードを挿通しチルト操作棒の下端に位置する操作つまみに接続して操作可能とすることで、多数段のスラットを昇降可能とする横型ブラインドがある。
【０００６】
このような昇降コードの移動を手引き操作する横型ブラインドでは、ボトムレール及びスラットの自重によりスラットを下降させることになる。このため、ヘッドボックス内には昇降コードの移動をロック可能とするストッパー装置が設けられる。
【０００７】
従って、昇降コードの引き出し操作を停止すれば、ストッパー装置が作動して、スラット及びボトムレールの自重降下が防止される。また、ストッパー装置の作動を解除すれば、スラット及びボトムレールはその自重に基づいて下降する。
【０００８】
ところで、昇降コードの引き出し操作を行い、当該ストッパー装置を作動させると、チルト操作棒の下端から余分な昇降コードが引き出された状態となる。このため、このチルト操作棒に固定のフックを設け、当該余分に引き出された昇降コードを巻掛けることで、その取扱いの利便性を高める工夫が為されることがある。
【０００９】
例えば、チルト操作棒の上下方向に所定間隔をあけた２箇所に、個別のフックを固定したものがある（例えば、特許文献１参照）。２つの固定のフックを利用することで、当該余分に引き出された昇降コードの長さに応じて適宜、２つの固定のフックを使い分けることができる。
【００１０】
また、コードを巻掛け可能とするコード巻掛部の形状を工夫してバネ付きワニ口クリップ状の固定のフックとし、当該余分に引き出された昇降コードを手巻きした後、掴持可能とし、その取り外しを容易化したものがある（例えば、特許文献２参照）。
【先行技術文献】
【特許文献】
【００１１】
【特許文献１】特実第３００１４０６号明細書
【特許文献２】特開２０１６−５６５８３号公報
【発明の概要】
【発明が解決しようとする課題】
【００１２】
前述したように、チルト操作棒内にヘッドボックスから導出される昇降コードを挿通しチルト操作棒の下端に位置する操作つまみに接続して操作可能とした横型ブラインドにおいて、チルト操作棒に固定のフックを設け、当該余分に引き出された昇降コードを巻掛可能とするものがある。
【００１３】
しかしながら、例えば特許文献１のように複数の固定のフックを設けた場合でも、当該余分に引き出された昇降コードが長くなるほど、その昇降コードの巻掛け及び取り外しに手間がかかり、利便性の観点からは更なる改善が求められる。
【００１４】
また、特許文献２の技法では、コードを巻掛するコード巻掛部の形状を工夫してバネ付きワニ口クリップ状の固定のフックとしているため、当該コード巻掛部からの昇降コードの取り外しは容易化されるものの、当該余分に引き出された昇降コードが長くなるほど、手巻きして掴持させるのに手間取るようになり、利便性の観点からは更なる改善が求められる。
【００１５】
本発明の目的は、上述の問題に鑑みて、所定のコードにより遮蔽材の移送を行う遮蔽装置にて、当該所定のコードの巻掛け及び取り外しに係る手間を軽減したコード巻掛装置を提供することにある。
【課題を解決するための手段】
【００１６】
本発明のコード巻掛装置は、所定のコードにより遮蔽材の移送を行う遮蔽装置におけるコード巻掛装置であって、遮蔽材を移送するために遮蔽装置の外部に導出される当該所定のコードを巻掛け可能なコード巻掛部を有し、所定の棒体に沿ってスライド可能としたスライドフックを備えるとともに、前記スライドフックを前記所定の棒体に沿って可動させる可動機構と前記所定の棒体に沿って可動させるよう操作する操作機構のいずれか一方又は双方を備えることを特徴とする。
【００１７】
また、本発明のコード巻掛装置において、前記スライドフックとは異なる第２のフックが前記所定の棒体に設けられ、前記第２のフックは、当該所定のコードを巻掛け可能なコード巻掛部を有し、前記所定の棒体に固定した固定フックからなり、前記可動機構、或いは前記操作機構は、前記スライドフックと前記第２のフックとの間の距離を前記所定の棒体に沿って可変させるように構成されていることを特徴とする。
【００１８】
また、本発明のコード巻掛装置において、前記スライドフックとは異なる第２のフックが前記所定の棒体に設けられ、前記第２のフックは、当該所定のコードを巻掛け可能なコード巻掛部を有し、前記所定の棒体に沿ってスライド可能とした第２のスライドフックからなり、前記可動機構、或いは前記操作機構は、前記スライドフックと前記第２のスライドフックとの間の距離を同期して互いに離間又は接近させるよう構成されていることを特徴とする。
【００１９】
また、本発明のコード巻掛装置において、前記可動機構は、前記第２のスライドフックのスライド操作で、前記スライドフックを同期してスライドさせるように構成されていることを特徴とする。
【００２０】
また、本発明のコード巻掛装置において、前記第２のスライドフックは、前記所定の棒体に対し直接又は間接的にロック可能に構成されていることを特徴とする。
【００２１】
また、本発明のコード巻掛装置において、前記第２のスライドフックは、前記所定の棒体に対し相対回転させる操作でロック可能に構成されていることを特徴とする。
【００２２】
また、本発明のコード巻掛装置において、前記スライドフックと前記第２のフックのいずれか一方又は双方におけるコード巻掛部に、当該所定のコードを巻掛け可能な滑車が設けられていることを特徴とする。
【００２３】
また、本発明のコード巻掛装置において、前記スライドフックと前記第２のフックのいずれか一方又は双方におけるコード巻掛部が、当該所定のコードを着脱可能に掴持させるクリップ構造を有することを特徴とする。
【００２４】
また、本発明のコード巻掛装置において、前記可動機構は、前記スライドフックに一端を取着する第１の移送コードと、前記第２のスライドフックに一端を取着する第２の移送コードと、前記所定の棒体の上方に設置され、前記第１の移送コードを掛装する滑車を有し、前記第１の移送コードの他端を前記第２のスライドフックに取着させるよう案内する第１の駆動支持部材と、前記所定の棒体の下方に設置され、前記第２の移送コードを掛装する滑車を有し、前記第２の移送コードの他端を前記スライドフックに取着させるよう案内する第２の駆動支持部材と、を備えるよう構成されていることを特徴とする。
【００２５】
また、本発明のコード巻掛装置において、前記可動機構は、前記スライドフックを取着する第１の歯車ラックと、前記第２のスライドフックを取着する第２の歯車ラックと、前記所定の棒体の所定位置にて回転可能に軸支され、互いに対向するよう配置させた前記第１の歯車ラックと前記第２の歯車ラックの各歯部と噛合する歯車と、を備えるよう構成されていることを特徴とする。
【００２６】
また、本発明のコード巻掛装置において、前記可動機構は、前記第２のフックから前記スライドフックを離間させるための所定の付勢力を生じさせる圧縮バネを備えるよう構成され、前記スライドフックと前記第２のフックが接近するようロックする機構を有することを特徴とする。
【００２７】
また、本発明のコード巻掛装置において、前記操作機構は、操作用錘部材に一端を取着した所定の操作コードの他端を、前記所定の棒体に設けられる滑車を介して前記スライドフックに取着して構成され、前記操作用錘部材の操作により、前記スライドフックをスライド可能としたことを特徴とする。
【００２８】
また、本発明のコード巻掛装置において、前記可動機構、或いは前記操作機構は、前記所定の棒体における上方及び下方にそれぞれ設けられた滑車に掛装される無端状の操作コード、無端状のボールチェーン、又は無端状のベルトから構成され、当該無端状の操作コード、無端状のボールチェーン、又は無端状のベルトに、前記スライドフックが取着されていることを特徴とする。
【００２９】
また、本発明のコード巻掛装置において、前記操作機構は、前記スライドフックを軸支するスパイラルシャフトを備えるよう構成され、前記スパイラルシャフトの回転操作で、前記スライドフックを前記スパイラルシャフトの軸方向にスライド可能としたことを特徴とする。
【発明の効果】
【００３０】
本発明によれば、所定のコードにより遮蔽材の移送を行う遮蔽装置における、当該所定のコードの巻掛け及び取り外しに係る手間を軽減し、その利便性をより一層を高めることができる。
【図面の簡単な説明】
【００３１】
【図１】本発明による第１実施形態のコード巻掛装置を備える横型ブラインドの概略構成を示す正面図である。
【図２】（ａ）は本発明による第１実施形態のコード巻掛装置の概略構成を示す斜視図であり、（ｂ），（ｃ）は、それぞれコード巻掛装置における駆動支持部材及びスライドフックの概略構成を示す斜視図である。
【図３】（ａ），（ｂ）は、それぞれ本発明による第１実施形態のコード巻掛装置の動作を示す概略図である。
【図４】（ａ），（ｂ）は、それぞれ本発明による第１実施形態のコード巻掛装置の典型的な使用例を示す概略な斜視図である。
【図５】（ａ）は本発明による第１実施形態のコード巻掛装置におけるスライドフックのスライド時及びロック時の動作例を示す斜視図であり、（ｂ），（ｃ）は、それぞれスライドフックのスライド時及びロック時の動作を示す原理図である。
【図６】（ａ），（ｂ）は、それぞれ本発明による第１実施形態のコード巻掛装置におけるスライドフック及び駆動支持部材に関するロック可能な第１変形例を示す斜視図である。
【図７】（ａ）は本発明による第１実施形態のコード巻掛装置における第２変形例のスライドフックの構成と、そのスライド時及びロック時の動作例を示す斜視図であり、（ｂ），（ｃ）は、それぞれ第２変形例のスライドフックのスライド時及びロック時の動作を示す原理図である。
【図８】（ａ）は本発明による第１実施形態のコード巻掛装置における第３変形例のスライドフックの構成を示す斜視図であり、（ｂ）は本発明による第１実施形態のコード巻掛装置における第４変形例のスライドフックの構成を示す斜視図である。
【図９】（ａ）は本発明による第２実施形態のコード巻掛装置の概略構成を示す斜視図であり、（ｂ），（ｃ）は、それぞれ第２実施形態のコード巻掛装置の動作を概略的に示す斜視図である。
【図１０】（ａ）は本発明による第３実施形態のコード巻掛装置の概略構成を示す斜視図であり、（ｂ），（ｃ）は、それぞれ第３実施形態のコード巻掛装置の動作を概略的に示す斜視図である。
【図１１】（ａ）は本発明による第４実施形態のコード巻掛装置の概略構成を示す斜視図であり、（ｂ），（ｃ）は、それぞれ第４実施形態のコード巻掛装置の動作を概略的に示す斜視図である。
【図１２】（ａ），（ｂ），（ｃ）は、それぞれ本発明による第５実施形態のコード巻掛装置としての実施例１乃至３の構成を示す概略図である。
【図１３】（ａ）は本発明による第６実施形態のコード巻掛装置の概略構成を示す斜視図であり、（ｂ），（ｃ）は、それぞれ第６実施形態のコード巻掛装置の動作を概略的に示す斜視図であり、（ｄ）は回転伝達式のクランクハンドルの概略構成を示す斜視図である。
【発明を実施するための形態】
【００３２】
以下、図面を参照して、本発明による各実施形態のコード巻掛装置を備える横型ブラインドを説明する。尚、本願明細書中、図１に示す横型ブラインドの正面図に対して、図示上方及び図示下方をスラットの吊り下げ方向に準じてそれぞれ上方向（又は上側）及び下方向（又は下側）と定義し、図示左方向を横型ブラインドの左側、及び、図示右方向を横型ブラインドの右側と定義して説明する。また、以下に説明する例では、図１に示す横型ブラインドの正面図に対して、視認する側を前側（又は室内側）、その反対側を後側（又は室外側）とする。
【００３３】
〔第１実施形態〕
（全体構成）
所定のコードにより遮蔽材の移送を行う遮蔽装置として、典型的には、昇降コードを手引き操作する横型ブラインドがある。そこで、図１には、本発明による第１実施形態のコード巻掛装置８を備える横型ブラインドの概略構成を示している。本実施形態の横型ブラインドは、ヘッドボックス１の左右両端部近傍及びその中央から、スラット４の前後方向に一対のラダーコード９が吊下され、各ラダーコード９を介して多数段のスラット４が支持される。各ラダーコード９の下端にはボトムレール５が吊下支持されている。ヘッドボックス１は、複数のブラケット６を介して天井面等の取付面へ固定される。
【００３４】
また、ヘッドボックス１の左右両側における室外側のラダーコード９やヘッドボックス１の中央側における室内側のラダーコード９に併設して、ヘッドボックス１から昇降コード１０が垂下され、各昇降コード１０の下端にボトムレール５が取着されている。
【００３５】
ヘッドボックス１内にはラダーコード９及び昇降コード１０を支持する支持部材１３が配設されている。各支持部材１３には前後方向に一対のラダーコード９の上端を取着するチルトドラム１３ａが回転可能に支持され、このチルトドラム１３ａに六角棒状の角度調節軸１２が相対回転不能に挿通されている。
【００３６】
従って、角度調節軸１２が回転されると、当該チルトドラム１３ａが回転し、ラダーコード９により吊下支持された多数段のスラット４の角度が同位相で調節されるようになっている。尚、支持部材１３には、ボトムレール５に一端を取着する昇降コード１０の各他端をヘッドボックス１内の長手方向へ案内するよう転向させる転向滑車を設けるのが好適である。
【００３７】
ヘッドボックス１内の右端側には操作部３が設けられている。操作部３には入力軸の回転を出力軸に伝達するギヤ機構（図示せず）が設けられ、角度調節軸１２の一端は、その出力軸に嵌合されている。ボトムレール５に一端部を取着した複数の昇降コード１０の各々の他端部は、支持部材１３を介してヘッドボックス１内の右端側に案内され、ストッパー装置１４を介した後、操作部３へと案内され、この操作部３を介してヘッドボックス１の外部へ導出される。
【００３８】
当該ギヤ機構の入力軸３ａは、ヘッドボックス１に設けられた開口部からヘッドボックス１外へ突出され、その入力軸３ａの先端にチルト操作棒１５が連結される。従って、チルト操作棒１５を回転操作することで、角度調節軸１２にその回転を伝達し、支持部材１３を介してラダーコード９により吊下支持された多数段のスラット４の角度を調節することができる。
【００３９】
また、当該ヘッドボックス１内で案内された複数の昇降コード１０は、操作部３内に形成されたコード案内経路（図示せず）を経て入力軸３ａから導出され、チルト操作棒１５内に挿通された後、チルト操作棒１５の下端部において、操作つまみ７に接続される。
【００４０】
そして、操作つまみ７を操作して、昇降コード１０をヘッドボックス１から引き出せば、ボトムレール５が引き上げられて、スラット４が上昇する。
【００４１】
このような昇降コード１０の移動を手引き操作する横型ブラインドでは、ボトムレール５及びスラット４の自重によりスラット４を下降させることになる。このため、ヘッドボックス１内には昇降コード１０の移動をロックするストッパー装置１４が設けられる。
【００４２】
従って、昇降コード１０の引き出し操作を停止すれば、ストッパー装置１４が作動して、スラット４及びボトムレール５の自重降下が防止される。また、ストッパー装置１４の作動を解除すれば、スラット４及びボトムレール５はその自重に基づいて下降する。
【００４３】
このように、図１に示す横型ブラインドでは、チルト操作棒１５内にヘッドボックス１から導出される昇降コード１０を挿通し、チルト操作棒１５の下端に位置する操作つまみ７に接続して、スラット４及びボトムレール５の昇降操作を可能としているが、昇降コードの引き出し操作を行い、当該ストッパー装置を作動させると、チルト操作棒１５の下端から余分な昇降コード１０が引き出された状態となる。
【００４４】
特に、当該余分に引き出された昇降コード１０が長くなるほどその取扱いに利便性が求められ、従来技法ではチルト操作棒１５に１つ又は複数の固定のフックを設けるようにしていたが、依然としてその昇降コード１０の巻掛け及び取り外しに手間がかかるものとなっていた。
【００４５】
そこで、図１に示す横型ブラインドでは、チルト操作棒１５に、本発明による第１実施形態のコード巻掛装置８を設けるようにしている。第１実施形態のコード巻掛装置８は、チルト操作棒１５上で同期してスライド可能な上下方向に一対のスライドフック８１，８２を備えており、尚且つ、このスライドフック８１，８２を駆動する可動機構として、一対のスライドフック８１，８２にそれぞれ端部が取着された２本の移送コード８５，８６を転向支持する上下方向に一対の駆動支持部材８３，８４がチルト操作棒１５上で固定されている。
【００４６】
以下、より具体的に、図２乃至図８を参照して、第１実施形態のコード巻掛装置８の構成及び動作について説明する。
【００４７】
（コード巻掛装置）
図２（ａ）は、本発明による第１実施形態のコード巻掛装置８の概略構成を示す斜視図であり、図２（ｂ），（ｃ）は、それぞれコード巻掛装置８における駆動支持部材８３（８４）及びスライドフック８１（８２）の概略構成を示す斜視図である。
【００４８】
図２（ａ）に示すように、チルト操作棒１５上には、その上端部近傍及び下端部近傍の位置に、それぞれ駆動支持部材８３，８４が固定されている。また、チルト操作棒１５上で駆動支持部材８３，８４間に、同期して互いに離間又は接近するようスライド可能な一対のスライドフック８１，８２が上下方向に設けられている。また、駆動支持部材８３，８４は、それぞれ移送コード８５，８６を転向支持するよう構成されている。
【００４９】
駆動支持部材８３は、図２（ｂ）に示すようにチルト操作棒１５の外周を掴持する略Ｃ字二股状の掴持部８３１を有しており、掴持部８３１の先端部８３１ａと、掴持部８３１の基部８３０は、チルト操作棒１５の六角外周の対応する面に当接するようになっている。尚、掴持部８３１の基部８３０は、接着剤等でチルト操作棒１５に上端部近傍の位置における対応する面に固着される。駆動支持部材８３には、横長リング状の滑車支持部８３２が設けられ、この滑車支持部８３２には滑車８３３の軸部８３３ａを回転可能に軸支する軸孔８３４が形成されている。
【００５０】
そして、駆動支持部材８３では、滑車支持部８３２の下方から移送コード８５が挿入されて滑車８３３に掛装されるようになっている。
【００５１】
尚、駆動支持部材８４についても、駆動支持部材８３と同様に構成され、その掴持部８３１の基部８３０が接着剤等でチルト操作棒１５の下端部近傍の位置における対応する面に固着される。
【００５２】
本例では、滑車支持部８３２には２箇所に軸孔８３４が形成されており、駆動支持部材８３用には図示手間側の軸孔８３４にて滑車８３３の軸部８３３ａが回転可能に軸支され、駆動支持部材８４用には図示奥側の軸孔８３４にて滑車８３３の軸部８３３ａが回転可能に軸支される。ただし、駆動支持部材８４は、滑車８３３の位置を図２（ｂ）に示すように軸支させた駆動支持部材８３を上下反転させたものとし、同一形状のものとすることができる。
【００５３】
そして、駆動支持部材８４では、滑車支持部８３２の上方から移送コード８６が挿入されて滑車８３３に掛装されるようになっている。
【００５４】
一方、スライドフック８１は、図２（ｃ）に示すようにチルト操作棒１５の外周を掴持する略Ｃ字二股状の掴持部８１１を有しており、掴持部８１１の先端部８１１ａと、掴持部８１１の２点基部８１０は、チルト操作棒１５の六角外周の対応する面に当接するようになっている。尚、スライドフック８１の掴持部８１１は、図２（ｂ），（ｃ）を比較して理解されるように、駆動支持部材８３の掴持部８３１とほぼ同様の断面形状を有しているが、弾性変形によってチルト操作棒１５の外周を掴持するようになっており、チルト操作棒１５上で上下方向にスライド可能となっている。
【００５５】
また、スライドフック８１には、図示するような２孔筒状の移送コード案内部８１２が設けられ、この移送コード案内部８１２には長孔状の挿通孔８１３、及び丸孔状の挿通孔８１４が形成されている。更に、スライドフック８１には、移送コード案内部８１２から延びる丸軸８１５と丸軸８１５から上下に突出する板状片８１６により、昇降コード１０を巻掛け可能なコード巻掛部８００が形成されている。尚、板状片８１６は、スライドフック８１については上方へのみ突出し、スライドフック８２については下方へのみ突出するものでもよい。
【００５６】
尚、スライドフック８２は、スライドフック８１と同様に構成され、本例では、図２（ｃ）に示すスライドフック８１を上下反転させたものとし、同一形状のものとしている。
【００５７】
そして、移送コード８５の一端８５１は結び玉等でスライドフック８２の挿通孔８１３の下端部に係止され、スライドフック８２から上方へ案内される移送コード８５の他端８５２は、スライドフック８１に設けられる挿通孔８１４を経由して、駆動支持部材８３に設けられる滑車８３３に掛装して転向され、結び玉等でスライドフック８１の挿通孔８１３の下端部に係止される。
【００５８】
また、移送コード８６の一端８６１は結び玉等でスライドフック８１の挿通孔８１３の上端部に係止され、スライドフック８１から下方へ案内される移送コード８６の他端８６２は、スライドフック８２に設けられる挿通孔８１４を経由して、駆動支持部材８４に設けられる滑車８３３に掛装して転向され、結び玉等でスライドフック８２の挿通孔８１３の上端部に係止される。
【００５９】
この一対のスライドフック８１，８２と一対の駆動支持部材８３，８４との間で、２本の移送コード８５，８６を配回させる概略図を図３（ａ）に示している。尚、図３において、板状片８１６について、スライドフック８１については上方へのみ突出し、スライドフック８２については下方へのみ突出するものとして簡略図示している。
【００６０】
ところで、スライドフック８２については、予め想定された操作者の手の届く範囲内でチルト操作棒１５上にてスライドさせるように構成される一方で、スライドフック８１については、予め想定された操作者の手の届かない範囲まで、チルト操作棒１５上にてスライドさせることができるようになっている。
【００６１】
そして、図３（ａ）に示す初期位置では、上下の駆動支持部材８３，８４間に配設される一対のスライドフック８１，８２が、チルト操作棒１５上で互いに近接する位置にあるとする。
【００６２】
そして、図３（ａ）に示す初期位置から、図３（ｂ）に示すように、操作者がスライドフック８２を掴んで下方へとスライドさせると（白抜き矢印）、このスライドフック８２のスライドに同期して、スライドフック８１がスライドフック８２から離間する上方へとスライドする（破線白抜き矢印）。
【００６３】
尚、図３（ｂ）に示す状態から、操作者がスライドフック８２を掴んで上方へとスライドさせた場合には、スライドフック８１がスライドフック８２に接近する下方へとスライドする。
【００６４】
このように、２本の移送コード８５，８６及び駆動支持部材８３，８４は、スライドフック８１，８２を駆動する可動機構として構成される。
【００６５】
そして、第１実施形態のコード巻掛装置８をチルト操作棒１５に設けることで、昇降コード１０の巻掛け及び取り外しに係る手間を軽減し、その利便性をより一層を高めることができる。
【００６６】
例えば図４（ａ）に示すように、操作者がスライドフック８１のコード巻掛部８００に昇降コード１０を一回掛けした後に、スライドフック８２を掴んで下方へとスライドさせるのみでスライドフック８１を手の届かないような位置までスライドさせることができる。このため、チルト操作棒１５の下端から引き出された状態の余分な昇降コード１０を、当該スライドフック８１のコード巻掛部８００に容易、且つ十分に巻掛けることができる。
【００６７】
また、当該スライドフック８１のコード巻掛部８００に昇降コード１０を一回掛けして上方へとスライドさせた状態から、操作者がスライドフック８２を掴んで上方へとスライドさせるのみで、当該スライドフック８１を手の届く位置まで下方へとスライドさせることができる。このため、チルト操作棒１５の下端から引き出された状態の余分な昇降コード１０を、当該スライドフック８１のコード巻掛部８００から容易に取り外すことができる。
【００６８】
尚、図４（ａ）に示す例において、操作者がスライドフック８１のコード巻掛部８００に昇降コード１０を一回掛けする代わりに複数回巻き付けるようにしても同様に動作する。ただし、本実施形態においては、一回掛けでも十分に巻掛けることができ、昇降コード１０の巻掛け及び取り外しがより容易になる。
【００６９】
このように、スライドフック８１のコード巻掛部８００に昇降コード１０を一回掛け、或いは複数回の巻き付けによる利用形態の場合、スライドフック８２については、単なる操作用として構成すればよく、図２（ｃ）に示すような丸軸８１５及び板状片８１６よりなるコード巻掛部８００を必ずしも設ける必要はない。
【００７０】
また、例えば図４（ｂ）に示すように、操作者がスライドフック８１，８２の各コード巻掛部８００に昇降コード１０を巻掛けてスライドフック８１のコード巻掛部８００に対し二回掛けした後に、スライドフック８２を掴んで下方へとスライドさせるのみでスライドフック８１を手の届かないような位置までスライドさせることができる。このため、チルト操作棒１５の下端から引き出された状態の余分な昇降コード１０が著しく長くなるような場合でも、当該スライドフック８１のコード巻掛部８００に容易、且つ十分に巻掛けることができる。
【００７１】
また、本例においても、当該スライドフック８１のコード巻掛部８００に昇降コード１０を二回掛けして上方へとスライドさせた状態から、操作者がスライドフック８２を掴んで上方へとスライドさせるのみで、当該スライドフック８１を手の届く位置まで下方へとスライドさせることができる。このため、チルト操作棒１５の下端から引き出された状態の余分な昇降コード１０を、当該スライドフック８１のコード巻掛部８００から容易に取り外すことができる。
【００７２】
ところで、スライドフック８１，８２は、チルト操作棒１５上でスライド可能に構成しるが、そのスライド操作後に、スライドフック８２についてチルト操作棒１５に対しロックさせることができるようになっている。
【００７３】
図５（ａ）は、第１実施形態のコード巻掛装置８におけるスライドフック８２のスライド時（図示Ａ方向）及びロック時（図示Ｂ方向）の動作例を示す斜視図である。図５（ｂ），（ｃ）は、それぞれスライドフック８２のスライド時及びロック時の動作を示す原理図である。
【００７４】
図５（ａ）において破線で示すチルト操作棒１５は、昇降コード１０を挿通可能な中空状の挿通孔１５ａが形成されている。そして、スライドフック８２は、図５（ａ）に示すようにチルト操作棒１５の外周を掴持する略Ｃ字二股状の掴持部８１１を有しており、掴持部８１１の先端部８１１ａと、掴持部８１１の２点基部８１０は、チルト操作棒１５の六角外周の対応する面に当接するようになっている。そして、スライドフック８２の掴持部８１１は、図５（ａ）に示す図示Ａ方向へのスライド時には、図５（ｂ）に示すように、弾性変形によってチルト操作棒１５の外周を掴持するようになっており、掴持部８１１の先端部８１１ａと掴持部８１１の２点基部８１０の４箇所接触で、チルト操作棒１５上で上下方向にスライド可能となっている。
【００７５】
一方、スライドフック８２を図５（ａ）に示す図示Ｂ方向へチルト操作棒１５に対し相対回転させると、図５（ｃ）に示すように、掴持部８１１の２点基部８１０の間にチルト操作棒１５の六角外周の角部を位置させることができる。このとき、掴持部８１１と２点基部８１０、並びに２点基部８１０の間にて、チルト操作棒１５に対する接触箇所（図示する例では７箇所接触）が増大して摩擦が大きくなり、チルト操作棒１５上での上下方向へのスライドがロックされる。また、図５（ｃ）に示す状態から、図５（ａ）に示す図示Ｂ方向へチルト操作棒１５に対し相対回転させることで、このロック状態を解除させることができる。そして、このように構成されるスライドフック８２は、チルト操作棒１５に対し、任意位置でロック可能である。
【００７６】
（ロックに関する第１変形例のスライドフック）
スライドフック８２の回転操作でチルト操作棒１５にロックさせる代わりに、図６（ａ）に示すようにスライドフック８２の下方に係合片８１７を設け、図６（ｂ）に示すように駆動支持部材８４における掴持部８３１の基部８３０の反対面に係合受部８３５を設ける構成とすることもできる。
【００７７】
スライドフック８２の下方に設けられる係合片８１７は、係合片８１７の上端板部８１７ｂの押圧操作で係合片８１７の下端爪部８１７ａを揺動させることができる。そして、スライドフック８２の下端爪部８１７ａを、チルト操作棒１５に固定される駆動支持部材８４の係合受部８３５に対し着脱可能に係合させることで、ロック及びその解除の操作が可能となる。ただし、このように構成されるスライドフック８２は、その下方に設けられる駆動支持部材８４に対しロック可能であり、間接的にチルト操作棒１５に対しロックするものとなる。
【００７８】
（ロックに関する第２変形例のスライドフック）
図７（ａ）は本発明による第１実施形態のコード巻掛装置８における第２変形例のスライドフック８２の構成と、そのスライド時（図示Ａ方向）及びロック時（図示Ｂ方向）の動作例を示す斜視図である。図７（ｂ），（ｃ）は、それぞれ第２変形例のスライドフック８２のスライド時及びロック時の動作を示す原理図である。
【００７９】
前述した図５に示す本実施形態の例では、掴持部８１１についてチルト操作棒１５の外周を掴持する略Ｃ字二股状に形成していたが、図７（ａ）に示すように、チルト操作棒１５の外周を取り囲む環状に掴持部８１１を形成してもよい。この場合、互いに対向する一対の２点基部８１０が掴持部８１１に設けられている。
【００８０】
第２変形例のスライドフック８２は、図７（ａ）の図示Ａ方向へのスライド時には、図７（ｂ）に示すように、掴持部８１１の対向一対の２点基部８１０が、チルト操作棒１５の六角外周の対応する面に近接（当接してもよい）する状態となっており、チルト操作棒１５上で上下方向にスライド可能となっている。
【００８１】
一方、スライドフック８２を図７（ａ）に示す図示Ｂ方向へチルト操作棒１５に対し相対回転させると、図７（ｃ）に示すように、掴持部８１１の対向一対の２点基部８１０のそれぞれの間にチルト操作棒１５の六角外周の角部を位置させることができる。このとき、掴持部８１１と対向一対の２点基部８１０の各先端及びその間にて、チルト操作棒１５に対する接触箇所（図示する例では１０箇所接触）が増大して摩擦が大きくなり、チルト操作棒１５上での上下方向へのスライドがロックされる。また、図７（ｃ）に示す状態から、図７（ａ）に示す図示Ｂ方向へチルト操作棒１５に対し相対回転させることで、このロック状態を解除させることができる。そして、このように構成されるスライドフック８２は、チルト操作棒１５に対し、任意位置でロック可能である。
【００８２】
（コード巻掛部に関する第３変形例のスライドフック）
図８（ａ）は本発明による第１実施形態のコード巻掛装置８における第３変形例のスライドフック８１（８２）の構成を示す斜視図である。図８（ａ）に示す第３変形例のスライドフック８１（８２）は、図２（ｃ）に示す構成と比較して、丸軸８１５上に環状の滑車８１８を設けてコード巻掛部８００を構成している点で相違している。これにより、昇降コード１０を第３変形例のスライドフック８１（８２）の滑車８１８に巻掛けた際に、上述した図４（ａ）,（ｂ）で説明したようなコード巻掛装置８の動作をより円滑化させることができる。
【００８３】
（コード巻掛部に関する第４変形例のスライドフック）
また、図８（ｂ）は本発明による第１実施形態のコード巻掛装置における第４変形例のスライドフック８１（８２）の構成を示す斜視図である。図８（ｂ）に示す第４変形例のスライドフック８１（８２）は、図２（ｃ）に示す構成と比較して、移送コード案内部８１２におけるから延びる丸軸８１５及び板状片８１６について、板状片８１６の下方を屈曲させて丸状先端部８１９ａを持つよう構成し、尚且つ丸軸８１５の下方に板片を延在させ丸状先端部８１９ｂを持つようにしてクリップ構造を有するコード巻掛部８００としている。
【００８４】
これにより、丸軸８１５及び板状片８１６の下方にて、板状片８１６の上方に突出する部位の押圧操作で昇降コード１０を、留めやすく外れにくい態様で着脱可能に掴持させることができる。これにより、数回程度の昇降コード１０の手巻きを行った上で、昇降コード１０を第４変形例のスライドフック８１（８２）の丸状先端部８１９ａ，８１９ｂにて掴持させることで、上述した図４（ａ）,（ｂ）で説明したようなコード巻掛装置８の動作を可能とし、且つ余分な昇降コード１０の巻掛けに関する微調整が可能となり、より自由度が増大する。また、図８（ｂ）に示す例では、丸軸８１５に対して昇降コード１０の巻掛けも可能としており、上述した図４（ａ）,（ｂ）で説明したようなコード巻掛装置８の動作と同様とすることもできるようにしており、一層、巻掛けに関する自由動を増大させている。
【００８５】
そして、上述した各変形例について、適宜組み合わせた更なる変形例を構成することもできる。
【００８６】
以上のように構成した変形例を含む第１実施形態のコード巻掛装置８によれば、昇降コード１０の移動を手引き操作する横型ブラインドにおける、昇降コード１０の巻掛け及び取り外しに係る手間を軽減し、その利便性をより一層を高めることができる。
【００８７】
〔第２実施形態〕
（コード巻掛装置）
図９（ａ）は本発明による第２実施形態のコード巻掛装置８ａの概略構成を示す斜視図であり、図９（ｂ），（ｃ）は、それぞれ第２実施形態のコード巻掛装置８ａの動作を概略的に示す斜視図である。尚、第２実施形態のコード巻掛装置８ａは、図１に示す横型ブラインドにおいて、第１実施形態のコード巻掛装置８から置き換えて設置可能であり、同様な構成要素には同一の参照番号を付している。
【００８８】
図９（ａ）に示すように、チルト操作棒１５上には、一対の案内レール８８ａが固着され、この一対の案内レール８８ａの内壁に沿って上下に移動可能な一対の歯車ラック８５ａ，８６ａが設けられている。チルト操作棒１５の上下方向の略中央部には、歯車８７ａを回転可能に軸支する軸部８７１が、一対の歯車ラック８５ａ，８６ａ間の固定位置で形成されており、この歯車８７ａが一対の歯車ラック８５ａ，８６ａの各歯部と噛み合うようになっている（図９（ａ）,（ｂ）参照）。
【００８９】
一対の歯車ラック８５ａ，８６ａの各歯部は、歯車８７ａを中心に互いに対向するよう配置されているため、歯車８７ａが正逆方向に回転すると、その回転方向に応じて、一対の案内レール８８ａの内壁に沿って歯車ラック８５ａが上昇すれば歯車ラック８６ａが下降し、歯車ラック８６ａが上昇すれば歯車ラック８５ａが下降する。
【００９０】
また、歯車ラック８５ａの略中央部にはスライドフック８１ａの奥面が固着され、歯車ラック８６ａの略中央部にはスライドフック８２ａの奥面が固着されている。従って、スライドフック８１ａが上昇すればスライドフック８２ａが下降し、スライドフック８２ａが上昇すればスライドフック８１ａが下降する。
【００９１】
図９（ｂ）には、スライドフック８１ａ，８２ａが近接している状態を示し、図９（ｃ）には、スライドフック８２ａの下方へのスライド操作（白抜き矢印）で、スライドフック８１ａが上方へとスライドフック８２ａから離間する様子を示している（破線白抜き矢印）。
【００９２】
スライドフック８１ａ，８２ａには、図９（ｂ），（ｃ）にて図示するように、それぞれ丸軸８１５から上方又は下方に突出する板状片８１６により、昇降コード１０を巻掛け可能なコード巻掛部８００が形成されている。尚、図９（ｂ），（ｃ）に例示する板状片８１６は、スライドフック８１ａについては上方へのみ突出し、スライドフック８２ａについては下方へのみ突出する例を示しているが、図２（ｃ）に示すものと同様に、上下に突出するものでもよい。
【００９３】
本例では、図９（ａ）に示すように、スライドフック８１ａ，８２ａの各前面の水平方向両端部も、一対の案内レール８８ａの内側に支持され、この一対の案内レール８８ａの上下にそれぞれ形成されている開口端部８８１によって、スライドフック８１ａ，８２ａの上下方向の可動域（スライド範囲）が規定される。
【００９４】
そして、チルト操作棒１５の上下方向略中央部でスライドフック８１ａ，８２ａが互いに最も近接する位置となるよう設定され、スライドフック８１ａ，８２ａが互いに最も離間するのは、スライドフック８１ａが一対の案内レール８８ａの上方の開口端部８８１に位置して、スライドフック８２ａが一対の案内レール８８ａの下方の開口端部８８１に位置するときである。そして、スライドフック８１ａ，８２ａが互いに最も離間する状態でも、歯車ラック８５ａ，８６ａが、一対の案内レール８８ａから飛び出さないように設定するのが意匠性及び安全性の観点で好ましい。
【００９５】
このように、２本の歯車ラック８５ａ，８６ａ及び歯車８７ａは、スライドフック８１ａ，８２ａを駆動する可動機構として構成される。
【００９６】
そして、本実施形態においても、スライドフック８２ａについては、予め想定された操作者の手の届く範囲内でチルト操作棒１５上にてスライドさせるように構成される一方で、スライドフック８１ａについては、予め想定された操作者の手の届かない範囲まで、チルト操作棒１５上にてスライドさせることができる。
【００９７】
従って、本実施形態のコード巻掛装置８ａは、スライドフック８１ａ，８２ａは同期して互いに離間又は接近するようスライド可能に構成されているため、上述した図４に示す第１実施形態の動作と同様となり、同様の作用・効果を得ることができる。
【００９８】
また、スライドフック８１ａのコード巻掛部８００に昇降コード１０を一回掛け、或いは複数回の巻き付けによる利用形態の場合、スライドフック８２ａについては、単なる操作用として構成すればよく、図９（ｂ），（ｃ）に示すような丸軸８１５及び板状片８１６よりなるコード巻掛部８００を必ずしも設ける必要はない。
【００９９】
また、本実施形態において、スライドフック８２ａをロック可能とするために、スライドフック８２ａの面と、これを支持する一対の案内レール８８ａの内側の面にそれぞれ、上下方向に湾曲凹凸を波打ち形成して、スライドフック８２ａの段階的なスライドとロックを許容する構造とすることができる。
【０１００】
また、スライドフック８２ａをロック可能とする別例として、前述した図６に示す第１変形例のように、弾性変形可能な係合片８１７を設け、これと係合してロック可能とする係合受部８３５を、一対の案内レール８８ａの下方の開口端部８８１近傍に設けることができる。
【０１０１】
そして、本実施形態においても、スライドフック８１ａ，８２ａのコード巻掛部８００について、図８（ａ）,（ｂ）に示したような変形例のように構成することができる。
【０１０２】
以上のように構成した変形例を含む第２実施形態のコード巻掛装置８ａによれば、昇降コード１０の移動を手引き操作する横型ブラインドにおける、昇降コード１０の巻掛け及び取り外しに係る手間を軽減し、その利便性をより一層を高めることができる。
【０１０３】
〔第３実施形態〕
（コード巻掛装置）
図１０（ａ）は本発明による第３実施形態のコード巻掛装置８ｂの概略構成を示す斜視図であり、図１０（ｂ），（ｃ）は、それぞれ第３実施形態のコード巻掛装置８ｂの動作を概略的に示す斜視図である。尚、第３実施形態のコード巻掛装置８ｂは、図１に示す横型ブラインドにおいて、第１実施形態のコード巻掛装置８から置き換えて設置可能であり、同様な構成要素には同一の参照番号を付している。
【０１０４】
図１０（ａ）に示すように、チルト操作棒１５の上下方向略中央部には、固定フック８２ｂが固着され、その上側に、チルト操作棒１５上でスライド可能なスライドフック８１ｂが配置されている。また、チルト操作棒１５には、スライドフック８１ｂの可動域を規定するとともに、上下方向のスライドを案内するための案内溝１５ｂが形成されている。そして、スライドフック８１ｂの下面と固定フック８２ｂの上面とは圧縮バネ８７ｂで接続されている。
【０１０５】
また、図１０（ｂ），（ｃ）に示すように、スライドフック８１ｂの奥面には矢尻状の係合片８２４が突出しており、この係合片８２４がチルト操作棒１５に形成されている案内溝１５ｂと係合して、スライドフック８１ｂの可動域が規定され、スライドフック８１ｂの上下方向のスライドが案内される。
【０１０６】
また、チルト操作棒１５上に奥面が固着される固定フック８２ｂの両側面には、先端爪部８２２を有する弾性変形可能な係合片８２１が形成されている。そして、スライドフック８１ｂの両側面には、先端爪部８２２と係合してロック可能とする係合孔８２３が形成されている。
【０１０７】
図１０（ｂ）には、スライドフック８１ｂと固定フック８２ｂが近接している状態を示しており、この状態では、固定フック８２ｂの係合片８２１における先端爪部８２２がスライドフック８１ｂの係合孔８２３と係合して、圧縮バネ８７ｂにおける伸長方向へ向かう付勢力が蓄勢されている。
【０１０８】
そして、図１０（ｂ）に示す状態から、スライドフック８１ｂを固定フック８２ｂの方向に（即ち下方に）押し込むと、図１０（ｃ）に示すように先端爪部８２２と係合孔８２３との係合が解除される。そして、この係合が解除される当該押し込みを瞬時に開放すると（即ち、スライドフック８１ｂを瞬時に手放すと）、圧縮バネ８７ｂに蓄勢されている付勢力により、図１０（ｃ）に示すように、スライドフック８１ｂが固定フック８２ｂから離間する（白抜き矢印）。尚、先端爪部８２２と係合孔８２３とを係合させるときは、スライドフック８１ｂを固定フック８２ｂの方向に（即ち下方に）押し込み、ゆっくりと手放すことで、その係合が維持され、図１０（ｂ）に示す状態となる。
【０１０９】
尚、図１０（ｂ），（ｃ）に示す例では、スライドフック８１ｂを固定フック８２ｂに対しロックする（実質的にチルト操作棒１５上にロックする）ために、先端爪部８２２と係合孔８２３との係合によりロックする機構を構成する例を示しているが、マグネットや面ファスナーなどの吸着力を利用してロックする機構を構成してもよい。
【０１１０】
スライドフック８１ｂ及び固定フック８２ｂには、図１０（ｂ），（ｃ）にて図示するように、それぞれ丸軸８１５から上方又は下方に突出する板状片８１６により、昇降コード１０を巻掛け可能なコード巻掛部８００が形成されている。尚、図１０（ｂ），（ｃ）に例示する板状片８１６は、スライドフック８１ｂについては上方へのみ突出し、スライドフック８２については下方へのみ突出する例を示しているが、図２（ｃ）に示すものと同様に、上下に突出するものでもよい。
【０１１１】
本例では、図１０（ａ）に示すように、チルト操作棒１５に形成されている案内溝１５ｂによって、スライドフック８１ｂの上下方向の可動域（スライド範囲）が規定される。
【０１１２】
そして、本例ではチルト操作棒１５の上下方向略中央部でスライドフック８１ｂ及び固定フック８２ｂが互いに最も近接する位置となるよう設定され、スライドフック８１ｂ及び固定フック８２ｂが互いに最も離間するのは、スライドフック８１ｂの係合片８２４が案内溝１５ｂの上端に位置するときである。尚、スライドフック８１ｂ及び固定フック８２ｂの位置は、特にチルト操作棒１５の上下方向略中央部でなくとも良く、例えばチルト操作棒１５の下端部付近に設け、案内溝の上下範囲を長くするなどの構成とすることもできる。
【０１１３】
このように、圧縮バネ８７ｂは、スライドフック８１ｂを駆動する可動機構として構成される。
【０１１４】
本実施形態においても、スライドフック８１ｂは、固定フック８２ｂから離間又は接近するようスライド可能に構成されているため、上述した図４に示す第１実施形態の動作とほぼ同様となり、同様の作用・効果を得ることができる。
【０１１５】
また、スライドフック８１ｂのコード巻掛部８００に昇降コード１０を一回掛け、或いは複数回の巻き付けによる利用形態の場合、固定フック８２ｂについては、単なる圧縮バネ８７ｂの支持用として構成すればよく、図１０（ｂ），（ｃ）に示すような丸軸８１５及び板状片８１６よりなるコード巻掛部８００を必ずしも設ける必要はない。
【０１１６】
ただし、本実施形態においては、スライドフック８１ｂ及び固定フック８２ｂの双方とも、予め想定された操作者の手の届く範囲内でチルト操作棒１５上にて操作可能に構成されるため、上述した第１及び第２実施形態よりも、チルト操作棒１５の下端から余分に引き出されている昇降コード１０の長さが比較的長いような場合にも対応するためには、図１０（ｂ），（ｃ）に示すような丸軸８１５及び板状片８１６よりなるコード巻掛部８００を設けて、上述した図４（ｂ）に示すような二回掛けができるよう構成することが好ましい。
【０１１７】
そして、本実施形態においても、スライドフック８１ｂ及び固定フック８２ｂのコード巻掛部８００について、図８（ａ）,（ｂ）に示したような変形例のように構成することができる。
【０１１８】
以上のように構成した変形例を含む第３実施形態のコード巻掛装置８ｂによれば、昇降コード１０の移動を手引き操作する横型ブラインドにおける、昇降コード１０の巻掛け及び取り外しに係る手間を軽減し、その利便性をより一層を高めることができる。
【０１１９】
〔第４実施形態〕
（コード巻掛装置）
図１１（ａ）は本発明による第４実施形態のコード巻掛装置８ｃの概略構成を示す斜視図であり、図１１（ｂ），（ｃ）は、それぞれ第４実施形態のコード巻掛装置８ｃの動作を概略的に示す斜視図である。尚、第４実施形態のコード巻掛装置８ｃは、図１に示す横型ブラインドにおいて、第１実施形態のコード巻掛装置８から置き換えて設置可能であり、同様な構成要素には同一の参照番号を付している。
【０１２０】
図１１（ａ）に示すように、チルト操作棒１５上の上端部近傍の位置に、第１実施形態における駆動支持部材８３とほぼ同様な構造の駆動支持部材８３ｃが固定されている。一方、チルト操作棒１５上の上下方向略中央部からやや下方の位置に、固定フック８２ｃが固着され、駆動支持部材８３ｃと固定フック８２ｃとの間に、第１実施形態におけるスライドフック８１とほぼ同様な構造で、チルト操作棒１５上でスライド可能なスライドフック８１ｃが配置されている。
【０１２１】
そして、駆動支持部材８３ｃでは、第１実施形態における駆動支持部材８３と同様に滑車８３３が設けられているが、本実施形態では、手引き操作可能な操作コード８５ｃの一端８５１ｃを操作用錘部材８９ｃに接続し、操作コード８５ｃの他端８５２ｃをスライドフック８１ｃに結び玉等で係止して、この操作コード８５ｃを駆動支持部材８３ｃにおける滑車８３３に掛装されるようになっている。
【０１２２】
また、スライドフック８１ｃの自重は、操作用錘部材８９ｃの自重より大きくなるように構成されている。このため、操作用錘部材８９ｃの非操作時では、スライドフック８１ｃは、その自重で、図１１（ａ）に示すように固定フック８２ｃの上部に置かれる。図１１（ｂ），（ｃ）では、スライドフック８１ｃについて簡略図示し、固定フック８２ｃの図示についても省略しているが、図１１（ｂ）に示す状態は、スライドフック８１ｃが、固定フック８２ｃの上部に置かれている様子を示している。
【０１２３】
また、スライドフック８１ｃにおけるコード巻掛部８００について、図１１（ｂ），（ｃ）では、丸軸８１５から上方に突出する板状片８１６により形成されているように示しているが、スライドフック８１ｃ及び固定フック８２ｃにおけるコード巻掛部８００として、図１１（ａ）に示すように、限定するものではないが、当該板状片８１６が上下に突出するよう構成としている。
【０１２４】
スライドフック８１ｃの動作として、図１１（ｂ）に示す状態から、図１１（ｃ）に示すように操作用錘部材８９ｃを下方に引き出すと（白抜き矢印）、スライドフック８１ｃが上昇し、固定フック８２ｃから離間する（破線白抜き矢印）。
【０１２５】
図１１（ｃ）に示すようにスライドフック８１ｃを固定フック８２ｃから離間するよう上昇させた状態で、操作用錘部材８９ｃを手放してもスライドフック８１ｃがその自重で下方に戻ることが無いよう、固定フック８２ｃのコード巻掛部８００に、操作コード８５ｃを巻き付けてロックする。
【０１２６】
本実施形態における操作用錘部材８９ｃ、操作コード８５ｃ及び駆動支持部材８３ｃは、スライドフック８１ｃをスライド操作する操作機構として構成される。
【０１２７】
本実施形態においても、固定フック８２ｃの位置を、予め想定された操作者の手の届く範囲内に設定しておくことで、スライドフック８１ｃは、固定フック８２ｃから離間又は接近するようスライド可能に構成されているため、上述した図４に示す第１実施形態の動作とほぼ同様となり、同様の作用・効果を得ることができる。
【０１２８】
尚、スライドフック８１ｃは、固定フック８２ｃを利用して、上述した図４（ｂ）に示すような二回掛けができるよう構成した場合でも、固定フック８２ｃのコード巻掛部８００に、操作コード８５ｃを巻き付けてロックすることができる。
【０１２９】
そして、本実施形態においても、スライドフック８１ｃ及び固定フック８２ｃのコード巻掛部８００について、図８（ａ）,（ｂ）に示したような変形例のように構成することができる。
【０１３０】
以上のように構成した変形例を含む第４実施形態のコード巻掛装置８ｃでは、上述した第１乃至第３実施形態と比較して、操作コード８５ｃを巻き付けてロックする手間が増えるものの、スライドフック８１ｃは、固定フック８２ｃから離間又は接近するようスライド可能に構成されているため、従来技法よりもその巻掛け回数を減らすことができ、その利便性を高めることができる。
【０１３１】
〔第５実施形態〕
図１２（ａ），（ｂ），（ｃ）は、それぞれ本発明による第５実施形態における実施例１乃至３のコード巻掛装置８ｄ，８ｅ，８ｆの構成を示す概略図である。尚、第５実施形態における実施例１乃至３のコード巻掛装置８ｄ，８ｅ，８ｆは、それぞれ図１に示す横型ブラインドにおいて、第１実施形態のコード巻掛装置８から置き換えて設置可能であり、同様な構成要素には同一の参照番号を付している。
【０１３２】
（実施例１のコード巻掛装置）
まず、図１２（ａ）に示す第５実施形態における実施例１のコード巻掛装置８ｄは、第１実施形態のコード巻掛装置８とほぼ同様であるが、第１実施形態における移送コード８５，８６の代わりに、手引き操作可能な無端状で紐状の操作コード８５ｄを用いた例である。
【０１３３】
実施例１のコード巻掛装置８ｄは、チルト操作棒１５上の上端部近傍及び下端部近傍の位置に、それぞれ駆動支持部材８３ｄ，８４ｄが固定されている。また、チルト操作棒１５上で駆動支持部材８３ｄ，８４ｄ間に、同期して互いに離間又は接近するようスライド可能な一対のスライドフック８１ｄ，８２ｄが上下方向に設けられている。また、駆動支持部材８３ｄ，８４ｄは、それぞれ無端状の操作コード８５ｄを掛装する滑車８３３ｄが設けられている。
【０１３４】
そして、図１２（ａ）に示すように、駆動支持部材８３ｄの滑車８３３ｄから垂下される無端状（実質２本）の操作コード８５ｄの一方を係止部８５１ｄでスライドフック８１ｄに係止し、無端状（実質２本）の操作コード８５ｄの他方を係止部８５２ｄでスライドフック８２ｄに係止している。
【０１３５】
駆動支持部材８３ｄ，８４ｄの基本構造は、無端状の操作コード８５ｄを掛装する滑車８３３ｄとするものであれば、図２（ｂ）に示すものとほぼ同様とすることができる。
【０１３６】
同じく、一対のスライドフック８１ｄ，８２ｄの基本構造は、無端状の操作コード８５ｄを挿通又は係止可能とするものであれば、図２（ｃ）に示すものとほぼ同様とすることができる。
【０１３７】
従って、第５実施形態における実施例１のコード巻掛装置８ｄによれば、第１実施形態における各変形例を含み、上述した図４に示す第１実施形態の動作と同様となり、同様の作用・効果を得ることができ、昇降コード１０の巻掛け及び取り外しに係る手間を軽減し、その利便性をより一層を高めることができる。
【０１３８】
（実施例２のコード巻掛装置）
また、図１２（ｂ）に示す第５実施形態における実施例２のコード巻掛装置８ｅのように、手引き操作可能な無端状のボールチェーン８５ｅを用いることもできる。
【０１３９】
実施例２のコード巻掛装置８ｅは、チルト操作棒１５上の上端部近傍及び下端部近傍の位置に、それぞれ駆動支持部材８３ｅ，８４ｅが固定されている。また、チルト操作棒１５上で駆動支持部材８３ｅ，８４ｅ間に、同期して互いに離間又は接近するようスライド可能な一対のスライドフック８１ｅ，８２ｅが上下方向に設けられている。また、駆動支持部材８３ｅ，８４ｅは、それぞれ無端状のボールチェーン８５ｅを掛装する凹凸状の滑車８３３ｅが設けられている。
【０１４０】
そして、図１２（ｂ）に示すように、駆動支持部材８３ｅの滑車８３３ｅから垂下される無端状（実質２本）のボールチェーン８５ｅの一方を係止部８５１ｅでスライドフック８１ｅに係止し、無端状（実質２本）のボールチェーン８５ｅの他方を係止部８５２ｅでスライドフック８２ｅに係止している。係止部８５１ｅ，８５２ｅは、チェーンコネクタなどの係止部材８３０を用いてスライドフック８１ｅ，８２ｅの各々に接続する構成とすることもできる。
【０１４１】
駆動支持部材８３ｅ，８４ｅの基本構造は、無端状のボールチェーン８５ｅを掛装する滑車８３３ｅとするものであれば、図２（ｂ）に示すものとほぼ同様とすることができる。
【０１４２】
同じく、一対のスライドフック８１ｅ，８２ｅの基本構造は、無端状のボールチェーン８５ｅを挿通又は係止可能とするものであれば、図２（ｃ）に示すものとほぼ同様とすることができる。
【０１４３】
従って、第５実施形態における実施例２のコード巻掛装置８ｅによれば、第１実施形態における第１乃至第３変形例を含み、上述した図４に示す第１実施形態の動作と同様となり、同様の作用・効果を得ることができ、昇降コード１０の巻掛け及び取り外しに係る手間を軽減し、その利便性をより一層を高めることができる。
【０１４４】
（実施例３のコード巻掛装置）
また、図１２（ｃ）に示す第５実施形態における実施例３のコード巻掛装置８ｆのように、手引き操作可能な無端状のベルト８５ｆを用いることもできる。
【０１４５】
実施例３のコード巻掛装置８ｆは、チルト操作棒１５上の上端部近傍及び下端部近傍の位置に、それぞれ駆動支持部材８３ｆ，８４ｆが固定されている。また、チルト操作棒１５上で駆動支持部材８３ｆ，８４ｆ間に、同期して互いに離間又は接近するようスライド可能な一対のスライドフック８１ｆ，８２ｆが上下方向に設けられている。また、駆動支持部材８３ｆ，８４ｆは、それぞれ無端状のベルト８５ｆを掛装するベルト用の滑車８３３ｆが設けられている。
【０１４６】
そして、図１２（ｃ）に示すように、駆動支持部材８３ｆの滑車８３３ｆから垂下される無端状（実質２本）のベルト８５ｆの一方を係止部８５１ｆでスライドフック８１ｆに係止し、無端状（実質２本）のベルト８５ｆの他方を係止部８５２ｆでスライドフック８２ｆに係止している。
【０１４７】
駆動支持部材８３ｆ，８４ｆの基本構造は、無端状のベルト８５ｆを掛装する滑車８３３ｆとするものであれば、図２（ｂ）に示すものとほぼ同様とすることができる。
【０１４８】
同じく、一対のスライドフック８１ｆ，８２ｆの基本構造は、無端状のベルト８５ｆを挿通又は係止可能とするものであれば、図２（ｃ）に示すものとほぼ同様とすることができる。
【０１４９】
従って、第５実施形態における実施例３のコード巻掛装置８ｆによれば、第１実施形態における第１乃至第３変形例を含み、上述した図４に示す第１実施形態の動作と同様となり、同様の作用・効果を得ることができ、昇降コード１０の巻掛け及び取り外しに係る手間を軽減し、その利便性をより一層を高めることができる。
【０１５０】
尚、第５実施形態における実施例１乃至３のコード巻掛装置８ｄ，８ｅ，８ｆにおいては、スライドフック８２ｄ，８２ｅ，８２ｆを掴んでスライド操作できるだけでなく、紐状の操作コード８５ｄ、ボールチェーン８５ｅ、及びベルト８５ｆを手引き操作可能な無端状で構成しているため、紐状の操作コード８５ｄ、ボールチェーン８５ｅ、及びベルト８５ｆは、スライドフック８１ｄ（又は８２ｄ），８１ｅ（又は８２ｅ），８１ｆ（又は８２ｆ）の可動機構として機能するとともに、操作機構としても機能するよう構成される。尚、スライドフック８２ｄ，８２ｅ，８２ｆは無くても良い。
【０１５１】
〔第６実施形態〕
（コード巻掛装置）
図１３（ａ）は本発明による第６実施形態のコード巻掛装置８ｇの概略構成を示す斜視図であり、図１３（ｂ），（ｃ）は、それぞれ第６実施形態のコード巻掛装置８ｇの動作を概略的に示す斜視図である。尚、第６実施形態のコード巻掛装置８ｇは、図１に示す横型ブラインドにおいて、第１実施形態のコード巻掛装置８から置き換えて設置可能であり、同様な構成要素には同一の参照番号を付している。
【０１５２】
図１３（ａ）に示すように、チルト操作棒１５上には、一対の案内レール８８ｇが固着され、この一対の案内レール８８ｇの内壁に沿って上下に移動可能な一対のスライドフック８１ｇ，８２ｇが設けられている。また、一対のスライドフック８１ｇ，８２ｇは、スパイラルシャフト８５ｇの軸方向へ移動可能に軸支されており、スパイラルシャフト８５ｇの上端は、一対の案内レール８８ｇの上端を塞ぐ駆動支持部材８３ｇに回転可能に支持される。一方、スパイラルシャフト８５ｇの下端は、一対の案内レール８８ｇの下端を支持する駆動支持部材８４ｇに回転可能に支持されるとともに、一対の案内レール８８ｇの下端（即ち、駆動支持部材８４ｇ）から下方に延びる巻掛操作棒８５１ｇに相対回転不能に連結されている。
【０１５３】
図１３（ｂ）には、図１３（ａ）における一対の案内レール８８ｇの内壁に沿って上下に移動可能なスライドフック８１ｇと、スパイラルシャフト８５ｇとの関係を示している。
【０１５４】
図１３（ｂ）に示す状態から、巻掛操作棒８５１ｇに連結されるスパイラルシャフト８５ｇを正逆回転させると、この回転方向に応じてスライドフック８１ｇを上下方向にスライドさせることができる。例えば、図１３（ｃ）に示すように、スパイラルシャフト８５ｇを正回転させると（白抜き矢印）、スライドフック８１ｇは上昇する（破線白抜き矢印）。一方で、図１３（ｃ）における図示を省略しているが、スパイラルシャフト８５ｇを正回転させると（白抜き矢印）、スライドフック８２ｇは下降する。
【０１５５】
そして、スパイラルシャフト８５ｇを逆回転させたときは、スライドフック８１ｇは下降し、スライドフック８２ｇは上昇する。
【０１５６】
スライドフック８１ｇ，８２ｇには、図１３（ｂ），（ｃ）にて図示するように、それぞれ丸軸８１５から上方に突出する板状片８１６により、昇降コード１０を巻掛け可能なコード巻掛部８００が形成されている。尚、各スライドフック８１ｇ，８２ｇの板状片８１６は、図２（ｃ）に示すものと同様に、上下に突出するものでもよい。
【０１５７】
そして、チルト操作棒１５の上下方向略中央部でスライドフック８１ｇ，８２ｇが互いに最も近接する位置となるよう設定され、スライドフック８１ｇ，８２ｇが互いに最も離間するのは、スライドフック８１ｇが一対の案内レール８８ｇの上端に位置して、スライドフック８２ｇが一対の案内レール８８ｇの下端に位置するときである。
【０１５８】
このように、スパイラルシャフト８５ｇは、スライドフック８１ｇ，８２ｇをスライド操作する操作機構として構成される。
【０１５９】
そして、本実施形態においても、スライドフック８１ｇについては、予め想定された操作者の手の届く位置から届かない範囲まで、チルト操作棒１５上にてスライドさせることができる。
【０１６０】
このように、スライドフック８１ｇ，８２ｇは同期して互いに離間又は接近するようスライド可能に構成されているため、上述した図４に示す第１実施形態の動作と同様となり、同様の作用・効果を得ることができる。
【０１６１】
また、スライドフック８１ｇのコード巻掛部８００に昇降コード１０を一回掛けの巻き付けによる利用形態の場合、スライドフック８２ｇについては必ずしも設ける必要はない。
【０１６２】
また、本実施形態において、スライドフック８２ｇのロックは、スパイラルシャフト８５ｇの回転操作を停止するのみで実現できる。尚、巻掛操作棒８５１ｇに対して操作ハンドルを直接設けることもできるが、例えば図１３（ｄ）に示すように、巻掛操作棒８５１ｇに対して着脱可能な回転伝達式のクランクハンドル８９ｇを利用する形態でも良い。図１３（ｄ）に示すクランクハンドル８９ｇの例では、そのハンドル部８９１ｇを回転操作すると、コア部８９２ｇが回転するよう回転伝達される構成となっている。そして、六角棒状の巻掛操作棒８５１ｇの下端に、六角孔を有するコア部８９２ｇを嵌着させることで、ハンドル部８９１ｇの回転操作により巻掛操作棒８５１ｇを回転させることができる。
【０１６３】
そして、本実施形態においても、スライドフック８１ｇ，８２ｇのコード巻掛部８００について、図８（ａ）,（ｂ）に示したような変形例のように構成することができる。
【０１６４】
以上のように構成した変形例を含む第６実施形態のコード巻掛装置８ｇによれば、昇降コード１０の移動を手引き操作する横型ブラインドにおける、昇降コード１０の巻掛け及び取り外しに係る手間を軽減し、その利便性をより一層を高めることができる。
【０１６５】
以上、特定の実施形態の例を挙げて本発明を説明したが、本発明は前述の実施形態の例に限定されるものではなく、その技術思想を逸脱しない範囲で種々変形可能である。例えば、各実施形態のコード巻掛装置を構成する各部材の形状について特定の例を挙げて説明したが、上述した例に制限する必要はなく、各部材の機能を実現できる形状であれば任意である。
【０１６６】
また、上述した各実施名帯の例では横型ブラインドを例示して説明したが、縦型ブラインド等の所定のコードにより遮蔽材の移送を行う遮蔽装置であって、当該所定のコードが遮蔽装置の外部に導出されるものであれば、本発明に係るコード巻掛装置を適用することができる。
【０１６７】
即ち、上述した各実施形態及び各変形例におけるコード巻掛装置（８，８ａ，８ｂ，８ｃ，８ｄ，８ｅ，８ｆ，８ｇ）の特徴事項について総括するに、本発明に係るコード巻掛装置（８，８ａ，８ｂ，８ｃ，８ｄ，８ｅ，８ｆ，８ｇ）は、所定のコード（上述した例では昇降コード１０）により遮蔽材（上述した例ではスラット４）の移送を行う遮蔽装置（上述した例では横型ブラインド）に適用される。
【０１６８】
そして、当該遮蔽材を移送するために遮蔽装置の外部に導出される当該所定のコードを巻掛け可能なコード巻掛部８００を有し、所定の棒体（上述した例ではチルト操作棒）に沿ってスライド可能としたスライドフック（８１，８１ａ，８１ｂ，８１ｃ，８１ｄ，８１ｅ，８１ｆ，８１ｇ）を備えるとともに、このスライドフック（８１，８１ａ，８１ｂ，８１ｃ，８１ｄ，８１ｅ，８１ｆ，８１ｇ）を当該所定の棒体に沿って可動させる可動機構と当該所定の棒体に沿って可動させるよう操作する操作機構のいずれか一方又は双方を備えるよう構成される。
【０１６９】
そして、上述した各実施形態のように、当該所定のコードを巻掛け可能なコード巻掛部８００を有する第２のフックが当該所定の棒体に設けられるときには、図４（ａ）のような一回掛けの利用形態だけでなく、図４（ｂ）のような二回掛けの利用形態も可能となる。ここで、この第２のフックとして、上述した固定フック（８２ｂ, ８２ｃ）や、第２のスライドフック（８２, ８２ａ，８２ｄ，８２ｅ，８２ｆ，８２ｇ）とすることができる。
【０１７０】
尚、コード巻掛部８００は、このような固定フックやスライドフックに対し、当該所定のコードを巻掛け可能とする丸軸８１５と板状片８１６で構成される。
【０１７１】
ただし、上述した各実施形態において説明したように、固定フック（８２ｂ, ８２ｃ）や、第２のスライドフック（８２, ８２ａ，８２ｄ，８２ｅ，８２ｆ，８２ｇ）については、必ずしもコード巻掛部８００を設ける必要はなく、図４（ａ）のような一回掛けの利用形態のみとする構成も可能である。このような場合のコード巻掛部８００を設けていない固定フック（８２ｂ, ８２ｃ）に相当する部材や、第２のスライドフック（８２, ８２ａ，８２Ｄ，８２ｅ，８２ｆ，８２ｇ）に相当する部材については、当該可動機構、或いは当該操作機構の一部に含まれる。
【０１７２】
従って、本発明に係るコード巻掛装置（８，８ａ，８ｂ，８ｃ，８ｄ，８ｅ，８ｆ，８ｇ）は、当該所定のコードが遮蔽装置の外部に導出されるものであれば適用することができ、当該所定のコードの巻掛け及び取り外しに係る手間を軽減し、その利便性をより一層を高めることができるようになる。
【産業上の利用可能性】
【０１７３】
本発明によれば、昇降コードの巻掛け及び取り外しに係る手間を軽減し、その利便性をより一層を高めることができるので、所定のコードにより遮蔽材の移送を行う遮蔽装置の用途に有用である。
【符号の説明】
【０１７４】
１  ヘッドボックス
３  操作部
４  スラット
５  ボトムレール
７  操作つまみ
８，８ａ，８ｂ，８ｃ，８Ｄ，８ｅ，８ｆ，８ｇ コード巻掛装置
９  ラダーコード
１０  昇降コード
１２  角度調節軸
１３  支持部材
１４  ストッパー装置
１５  チルト操作棒
８１，８１ａ，８１ｂ，８１ｃ，８１ｄ，８１ｅ，８１ｆ，８１ｇ  スライドフック
８２，８２ａ，８２ｄ，８２ｅ，８２ｆ，８２ｇ  スライドフック
８２ｂ，８２ｃ  固定フック
８３，８３ｃ，８３ｄ，８３ｅ，８３ｆ，８３ｇ  駆動支持部材
８４，８４ｄ，８４ｅ，８４ｆ，８４ｇ  駆動支持部材
８５  移送コード
８５ａ  歯車ラック
８５ｃ  操作コード
８５ｄ  紐状の操作コード
８５ｅ  ボールチェーン
８５ｆ  ベルト
８５ｇ  スパイラルシャフト
８６  移送コード
８６ａ  歯車ラック
８７ａ  歯車
８７ｂ  圧縮バネ
８８ａ，８８ｇ  案内レール
８９ｃ  操作用錘部材
８００  コード巻掛部
８３３，８３３ｄ，８３３ｅ, ８３３ｆ  滑車
【図１】
2018071199.tif 000003
【図２】
2018071199.tif 000004
【図３】
2018071199.tif 000005
【図４】
2018071199.tif 000006
【図５】
2018071199.tif 000007
【図６】
2018071199.tif 000008
【図７】
2018071199.tif 000009
【図８】
2018071199.tif 000010
【図９】
2018071199.tif 000011
【図１０】
2018071199.tif 000012
【図１１】
2018071199.tif 000013
【図１２】
2018071199.tif 000014
【図１３】
2018071199.tif 000015